(57)【要約】【課題】ユーザの正当性を確認できた場合には、再生端末装置に関らず音楽データを再生することを可能とし、正規ユーザがデータを使用する際の権利制限を取り払うことを目的とする。【解決手段】ユーザー特定ＩＤとデータ特定ＩＤ１を音楽配信装置Ｃ１にネットワークを介して送信し、ユーザーの正当性を確認した時にはデータ特定ＩＤ１に対応するスクランブルのかかっていない音楽データを再生端末装置Ｂ１に送信して再生するので、ユーザの正当性を確認できた場合には、再生端末装置に関らず音楽データを再生することが可能となり、正規ユーザがデータを使用する際の権利制限を取り払うことが可能となる。【選択図】      図１
2004240344.tif 000002
【特許請求の範囲】
【請求項１】
サーバに蓄積された音楽データをネットワークを介して受信して再生する音楽配信システムであって、
データ特定ＩＤおよびユーザＩＤをネットワークを介して音楽配信装置に送信し前記データ特定ＩＤに対応する音楽データをネットワークを介して音楽配信装置から受信して再生する再生端末装置と、
前記データ特定ＩＤに対応した音楽データをサーバからネットワークを介して前記ユーザＩＤに対応する前記再生端末装置に配信する音楽配信装置と
を備え、前記再生端末装置に入力された前記データ特定ＩＤをネットワークを介して前記音楽配信装置に送信し、前記データ特定ＩＤを受信してこれに対応する音楽データを前記音楽配信装置のサーバからネットワークを介して前記再生端末装置に送信し、前記再生端末装置にて前記音楽データを再生することを特徴とする音楽配信システム。
【請求項２】
サーバに蓄積された音楽データをネットワークを介して受信して再生する音楽配信システムを構成する再生端末装置であって、
音楽データを特定するデータ特定ＩＤを入力するデータ特定ＩＤ入力手段と、
ユーザ固有のユーザＩＤを発行するユーザＩＤ発行手段と、
前記データ特定ＩＤおよび前記ユーザＩＤをネットワークを介して音楽配信装置に送信し前記データ特定ＩＤに対応する音楽データをネットワークを介して音楽配信装置から受信するネットワーク接続手段と、
受信した前記データ特定ＩＤに対応する音楽データを再生する音楽再生手段とを有し、データ特定ＩＤにより選定された音楽データを、ネットワークを介して音楽配信装置より入手することにより再生可能とすることを特徴とする再生端末装置。
【請求項３】
サーバに蓄積された音楽データをネットワークを介して受信して再生する音楽配信システムを構成する音楽配信装置であって、
ネットワークを介してユーザＩＤ、データ特定ＩＤおよび音楽データの送受信を行う端末通信手段と、
音楽データを特定するデータ特定ＩＤとユーザ固有のユーザＩＤを認証するユーザ認証手段と、
前記データ特定ＩＤにより選定した音楽データを前記端末通信手段により配信する音楽配信手段と
を有し、データ特定ＩＤに対応した音楽データを前記端末通信手段によりネットワークを介してユーザＩＤに対応した音楽再生手段に配信して再生することを特徴とする音楽配信装置。
【請求項４】
前記データ特定ＩＤが、前記音楽データを格納する記録媒体に固有のデータ特定ＩＤであることを特徴とする請求項１記載の音楽配信システム。
【請求項５】
前記データ特定ＩＤが、前記音楽データを格納する記録媒体に固有のデータ特定ＩＤであることを特徴とする請求項２記載の再生端末装置。
【請求項６】
前記データ特定ＩＤが、前記音楽データを格納する記録媒体に固有のデータ特定ＩＤであることを特徴とする請求項３記載の音楽配信装置。
【請求項７】
請求項４または請求項５または請求項６に記載のデータ特定ＩＤと音楽データを格納することを特徴とする記録媒体。
【請求項８】
前記データ特定ＩＤが、前記音楽データの正規ライセンスを所有していることを示すライセンスＩＤであることを特徴とする請求項１記載の音楽配信システム。
【請求項９】
前記データ特定ＩＤが、前記音楽データの正規ライセンスを所有していることを示すライセンスＩＤであることを特徴とする請求項２記載の再生端末装置。
【請求項１０】
前記データ特定ＩＤが、前記音楽データの正規ライセンスを所有していることを示すライセンスＩＤであることを特徴とする請求項３記載の音楽配信装置。
【請求項１１】
暗号化された音楽データをネットワークを介して入手した復号キーを用いて復号し再生する音楽配信システムであって、
データ特定ＩＤおよびユーザＩＤをネットワークを介して音楽配信装置に送信し前記暗号化された音楽データに対応する前記復号キーをネットワークを介して音楽配信装置から受信して再生する再生端末装置と、
前記暗号化された音楽データに対応する前記復号キーをサーバからネットワークを介して前記ユーザＩＤに対応する前記再生端末装置に配信する音楽配信装置と
を備え、前記再生端末装置に入力された前記データ特定ＩＤをネットワークを介して前記音楽配信装置に送信し、前記データ特定ＩＤを受信して暗号化された音楽データに対応する前記復号キーを前記音楽配信装置のサーバからネットワークを介して前記再生端末装置に送信し、前記再生端末装置にて前記暗号化された音楽データを再生することを特徴とする音楽配信システム。
【請求項１２】
暗号化された音楽データをネットワークを介して入手した復号キーを用いて復号し再生する音楽配信システムを構成する再生端末装置であって、
前記暗号化された音楽データを復号する復号キーを特定するデータ特定ＩＤを入力するデータ特定ＩＤ入力手段と、
ユーザ固有のユーザＩＤを発行するユーザＩＤ発行手段と、
前記データ特定ＩＤおよび前記ユーザＩＤをネットワークを介して音楽配信装置に送信し前記データ特定ＩＤに対応する前記暗号化された音楽データを復号する復号キーをネットワークを介して音楽配信装置から受信するネットワーク接続手段と、
前記復号キーにより前記暗号化された音楽データを復号するデータ復号手段と、
前記復号した音楽データを再生する音楽再生手段と
を有し、データ特定ＩＤにより選定された暗号化された音楽データを復号する復号キーを、ネットワークを介して音楽配信装置より入手することにより暗号化された音楽データを再生可能とすることを特徴とする再生端末装置。
【請求項１３】
暗号化された音楽データをネットワークを介して入手した復号キーを用いて復号し再生する音楽配信システムを構成する音楽配信装置であって、
ネットワークを介してユーザＩＤ、データ特定ＩＤおよび暗号化された音楽データを復号する復号キーの送受信を行う端末通信手段と、
前記暗号化された音楽データを復号する復号キーを特定するデータ特定ＩＤとユーザ固有のユーザＩＤを認証するユーザ認証手段と、
前記暗号化された音楽データを復号する復号キーを前記端末通信手段により配信する復号キー配信手段と
を有し、暗号化された音楽データを復号する復号キーを前記端末通信手段によりネットワークを介してユーザＩＤに対応した音楽再生手段に配信し、暗号化された音楽データを復号する復号キーして再生することを特徴とする音楽配信装置。
【請求項１４】
請求項１１または請求項１２または請求項１３に記載のデータ特定ＩＤと暗号化データ、および音楽データを格納することを特徴とする記録媒体。
【請求項１５】
再生制限情報により、再生条件に制限を加えることを特徴とする請求項１または請求項４または請求項８または請求項１１のいずれかに記載の音楽配信システム。
【請求項１６】
前記再生制限情報が前記データ特定ＩＤ、前記ライセンスＩＤ、前記ユーザＩＤ、前記復号用キーデータ、もしくは前記配信音楽データのうちの任意のデータに付加されていることを特徴とする請求項１５記載の音楽配信システム。
【請求項１７】
前記再生条件が、再生可能音質、再生可能回数、もしくは再生可能期間のうち任意の再生条件であることを特徴とする請求項１５または請求項１６のいずれかに記載の音楽配信システム。
【発明の詳細な説明】
【０００１】
【発明の属する技術分野】
本発明は、ネットワークを用いて音楽を配信する音楽配信システムに関するものである。
【０００２】
【従来の技術】
従来の音楽ＣＤは簡単に複製ができるため、近年は複製防止のため著作権保護処理が施される場合があり、正規の音楽ＣＤを所有していてもパソコン上では再生できなくなる問題点があった。
【０００３】
また、従来の音楽配信システムでは、たとえば特許文献１のような音楽データを音楽記録媒体とネットワークを用いて流通させるものが知られている。その際、ライセンス取得作業が必要であるが、柔軟な再生可能条件が設定できず、権利者とユーザの双方にとって必ずしも使い勝手のよいものではないという問題点があった。
【０００４】
【特許文献１】特開２００１−２１６４１８号公報
【０００５】
【発明が解決しようとする課題】
上記問題点を解決するために、本発明の音楽配信システムでは、ユーザの正当性を確認できたときに、再生端末に限らず音楽データを再生することを可能とし、また、再生を許可するための細やかな条件を設定でき、権利者とユーザの双方にとってより利便性の高い利用形態を提供する。
【０００６】
【課題を解決するための手段】
上記目的を達成するために、本発明の請求項１記載の音楽配信システムは、サーバに蓄積された音楽データをネットワークを介して受信して再生する音楽配信システムであって、データ特定ＩＤおよびユーザＩＤをネットワークを介して音楽配信装置に送信し前記データ特定ＩＤに対応する音楽データをネットワークを介して音楽配信装置から受信して再生する再生端末装置と、前記データ特定ＩＤに対応した音楽データをサーバからネットワークを介して前記ユーザＩＤに対応する前記再生端末装置に配信する音楽配信装置とを備え、前記再生端末装置に入力された前記データ特定ＩＤをネットワークを介して前記音楽配信装置に送信し、前記データ特定ＩＤを受信してこれに対応する音楽データを前記音楽配信装置のサーバからネットワークを介して前記再生端末装置に送信し、前記再生端末装置にて前記音楽データを再生することを特徴とする。
【０００７】
請求項２記載の再生端末装置は、サーバに蓄積された音楽データをネットワークを介して受信して再生する音楽配信システムを構成する再生端末装置であって、音楽データを特定するデータ特定ＩＤを入力するデータ特定ＩＤ入力手段と、ユーザ固有のユーザＩＤを発行するユーザＩＤ発行手段と、前記データ特定ＩＤおよび前記ユーザＩＤをネットワークを介して音楽配信装置に送信し前記データ特定ＩＤに対応する音楽データをネットワークを介して音楽配信装置から受信するネットワーク接続手段と、受信した前記データ特定ＩＤに対応する音楽データを再生する音楽再生手段とを有し、データ特定ＩＤにより選定された音楽データを、ネットワークを介して音楽配信装置より入手することにより再生可能とすることを特徴とする。
【０００８】
請求項３記載の音楽配信装置は、サーバに蓄積された音楽データをネットワークを介して受信して再生する音楽配信システムを構成する音楽配信装置であって、ネットワークを介してユーザＩＤ、データ特定ＩＤおよび音楽データの送受信を行う端末通信手段と、音楽データを特定するデータ特定ＩＤとユーザ固有のユーザＩＤを認証するユーザ認証手段と、前記データ特定ＩＤにより選定した音楽データを前記端末通信手段により配信する音楽配信手段とを有し、データ特定ＩＤに対応した音楽データを前記端末通信手段によりネットワークを介してユーザＩＤに対応した音楽再生手段に配信して再生することを特徴とする。
【０００９】
請求項４記載の音楽配信システムは、請求項１記載の音楽配信システムにおいて、前記データ特定ＩＤが、前記音楽データを格納する記録媒体に固有のデータ特定ＩＤであることを特徴とする。
【００１０】
請求項５記載の再生端末装置は、請求項２記載の再生端末装置において、前記データ特定ＩＤが、前記音楽データを格納する記録媒体に固有のデータ特定ＩＤであることを特徴とする。
【００１１】
請求項６記載の音楽配信装置は、請求項３記載の音楽配信装置において、前記データ特定ＩＤが、前記音楽データを格納する記録媒体に固有のデータ特定ＩＤであることを特徴とする。
【００１２】
請求項７記載の記録媒体は、請求項４または請求項５または請求項６に記載のデータ特定ＩＤと音楽データを格納することを特徴とする。
請求項８記載の音楽配信システムは、請求項１記載の音楽配信システムにおいて、前記データ特定ＩＤが、前記音楽データの正規ライセンスを所有していることを示すライセンスＩＤであることを特徴とする。
【００１３】
請求項９記載の再生端末装置は、請求項２記載の再生端末装置において、前記データ特定ＩＤが、前記音楽データの正規ライセンスを所有していることを示すライセンスＩＤであることを特徴とする。
【００１４】
請求項１０記載の音楽配信装置は、請求項３記載の音楽配信装置において、前記データ特定ＩＤが、前記音楽データの正規ライセンスを所有していることを示すライセンスＩＤであることを特徴とする。
【００１５】
請求項１１記載の音楽配信システムは、暗号化された音楽データをネットワークを介して入手した復号キーを用いて復号し再生する音楽配信システムであって、データ特定ＩＤおよびユーザＩＤをネットワークを介して音楽配信装置に送信し前記暗号化された音楽データに対応する前記復号キーをネットワークを介して音楽配信装置から受信して再生する再生端末装置と、前記暗号化された音楽データに対応する前記復号キーをサーバからネットワークを介して前記ユーザＩＤに対応する前記再生端末装置に配信する音楽配信装置とを備え、前記再生端末装置に入力された前記データ特定ＩＤをネットワークを介して前記音楽配信装置に送信し、前記データ特定ＩＤを受信して暗号化された音楽データに対応する前記復号キーを前記音楽配信装置のサーバからネットワークを介して前記再生端末装置に送信し、前記再生端末装置にて前記暗号化された音楽データを再生することを特徴とする。
【００１６】
請求項１２記載の再生端末装置は、暗号化された音楽データをネットワークを介して入手した復号キーを用いて復号し再生する音楽配信システムを構成する再生端末装置であって、前記暗号化された音楽データを復号する復号キーを特定するデータ特定ＩＤを入力するデータ特定ＩＤ入力手段と、ユーザ固有のユーザＩＤを発行するユーザＩＤ発行手段と、前記データ特定ＩＤおよび前記ユーザＩＤをネットワークを介して音楽配信装置に送信し前記データ特定ＩＤに対応する前記暗号化された音楽データを復号する復号キーをネットワークを介して音楽配信装置から受信するネットワーク接続手段と、前記復号キーにより前記暗号化された音楽データを復号するデータ復号手段と、前記復号した音楽データを再生する音楽再生手段とを有し、データ特定ＩＤにより選定された暗号化された音楽データを復号する復号キーを、ネットワークを介して音楽配信装置より入手することにより暗号化された音楽データを再生可能とすることを特徴とする。
【００１７】
請求項１３記載の音楽配信装置は、暗号化された音楽データをネットワークを介して入手した復号キーを用いて復号し再生する音楽配信システムを構成する音楽配信装置であって、ネットワークを介してユーザＩＤ、データ特定ＩＤおよび暗号化された音楽データを復号する復号キーの送受信を行う端末通信手段と、前記暗号化された音楽データを復号する復号キーを特定するデータ特定ＩＤとユーザ固有のユーザＩＤを認証するユーザ認証手段と、前記暗号化された音楽データを復号する復号キーを前記端末通信手段により配信する復号キー配信手段とを有し、暗号化された音楽データを復号する復号キーを前記端末通信手段によりネットワークを介してユーザＩＤに対応した音楽再生手段に配信し、暗号化された音楽データを復号する復号キーして再生することを特徴とする。
【００１８】
請求項１４記載の記録媒体は、請求項１１または請求項１２または請求項１３に記載のデータ特定ＩＤと暗号化データ、および音楽データを格納することを特徴とする。
【００１９】
請求項１５記載の音楽配信システムは、請求項１または請求項４または請求項８または請求項１１のいずれかに記載の音楽配信システムにおいて、再生制限情報により、再生条件に制限を加えることを特徴とする。
【００２０】
請求項１６記載の音楽配信システムは、請求項１５記載の音楽配信システムにおいて、前記再生制限情報が前記データ特定ＩＤ、前記ライセンスＩＤ、前記ユーザＩＤ、前記復号用キーデータ、もしくは前記配信音楽データのうちの任意のデータに付加されていることを特徴とする。
【００２１】
請求項１７記載の音楽配信システムは、請求項１５または請求項１６のいずれかに記載の音楽配信システムにおいて、前記再生条件が、再生可能音質、再生可能回数、もしくは再生可能期間のうち任意の再生条件であることを特徴とする。
【００２２】
以上の構成により、ユーザの正当性を確認できた場合には、再生端末装置に関らず音楽データを再生することが可能となり、正規ユーザがデータを使用する際の権利制限を取り払うことが可能となる。
【００２３】
【発明の実施の形態】
以下、本発明の実施の形態について説明する。
（実施の形態１）
まず、実施の形態１における音楽配信システムについて図１を用いて説明する。
【００２４】
図１は本発明の実施の形態１における音楽配信システムの構成図である。
図１において、記録媒体Ａ１はデータ特定ＩＤ１が付与され、音楽データ２が記録されている。一般的には、記録媒体Ａ１としてＣＤ−ＲＯＭが使われることが多いが、その他の記録媒体を用いることができる。また、ここでは、記録媒体Ａ１にはスクランブルがかかっており、通常のオーディオ装置では音楽データ２を再生できるが、パソコン等のその他の再生端末装置では音楽データ２を再生できないとする。さらに、データ特定ＩＤ１は、記録媒体Ａ１にディジタルデータとして記録されていてもよいし、記録媒体Ａ１の媒体表面に印字されていてもよく、記録媒体Ａ１の固有のＩＤとしてなんらかの形で付与されていればよい。
【００２５】
このような記録媒体Ａ１に記録された音楽データ２をパソコン等の再生端末装置Ｂ１にて再生する場合、まず、データ特定ＩＤ１を再生端末装置Ｂ１のデータ特定ＩＤ入力手段３に送信する。データ特定ＩＤ１の入力方法は、音楽再生装置Ｂ１が記録媒体Ａ１に付与されているデータ特定ＩＤ１を直接読み取ってもよいし、ユーザが入力キーのような入力装置を用いてデータ特定ＩＤ１を入力してもよい。次に、データ特定ＩＤ入力手段３は、入力されたデータ特定ＩＤ１をネットワーク接続手段４に伝える。また、ユーザＩＤ発行手段５はユーザを特定するためのユーザＩＤをネットワーク接続手段４に伝える。次に、ネットワーク接続手段４は、ネットワーク上につながれた音楽配信装置Ｃ１の端末通信手段７にデータ特定ＩＤとユーザＩＤをネットワークを介して送信する。次に、音楽配信装置Ｃ１の端末通信手段７はデータ特定ＩＤとユーザＩＤをユーザ認証手段８に伝え、ユーザ認証手段８はデータ特定ＩＤとユーザＩＤを用いてユーザが正当なライセンスを持っているかどうか判定するユーザ認証を行う。次に音楽配信手段９はユーザ認証手段８がユーザの認証に成功したときに、端末通信手段７を介してデータ特定ＩＤに対応する音楽データを音楽データを格納するサーバ１５から抽出し、ネットワークを介して再生端末装置Ｂ１に配信する。最後に、再生端末装置Ｂ１のネットワーク接続手段４は、配信された音楽データを音楽再生手段６に伝え、音楽再生手段６は、配信された音楽データを再生する。
【００２６】
したがって、ユーザー特定ＩＤとデータ特定ＩＤを音楽配信装置にネットワークを介して送信し、ユーザーの正当性を確認した時にはデータ特定ＩＤに対応するスクランブルのかかっていない音楽データを再生端末装置に送信して再生するので、ユーザの正当性を確認できた場合には、再生端末装置に関らず音楽データを再生することが可能となり、正規ユーザがデータを使用する際の権利制限を取り払うことが可能となる。
（実施の形態２）
次に、実施の形態２における音楽配信システムについて図２を用いて説明する。
【００２７】
図２は本発明の実施の形態２における音楽配信システムの構成図である。
図２において、まず、ユーザは図１の記録媒体Ａ１のかわりに音楽配信のライセンスを所有していることを示すライセンスＩＤ１０を入手する。ライセンスＩＤ１０はたとえば本のような媒体に含む形で流通させてもよいし、ネットワークを通じて入手するようにしてもよい。次に、ライセンスＩＤ１０は再生端末装置Ｂ２のライセンスＩＤ入力手段１１を通じて、再生端末装置Ｂ２に入力され、ライセンスＩＤ入力手段１１はライセンスＩＤをネットワーク接続手段４に伝える。その後、実施の形態１におけるデータ特定ＩＤのかわりにライセンスＩＤを用いて、再生端末装置Ｂ２、音楽配信装置Ｃ２によって、音楽データを受信して再生する。
【００２８】
したがって、従来の発明で流通パッケージに含まれていた音楽データ部分のライセンス料を不要にすることを可能としながら、ユーザの正当性を確認できた場合には、再生端末装置に関らず音楽データを再生することが可能となり、正規ユーザがデータを使用する際の権利制限を取り払うことが可能となる。
（実施の形態３）
次に、実施の形態３における音楽配信システムについて図３を用いて説明する。
【００２９】
図３は本発明の実施の形態３における音楽配信システムの構成図である。
図３において、記録媒体Ａ３は、図１の記録媒体Ａ１と同様のデータ特定ＩＤ１が付与され、音楽データ２が記録されている。さらに、音楽データ２を暗号化したデータである暗号化データ１２が記録されている。音楽データを再生するために、まず、図１と同様にユーザ認証を行っていく。つまり、記録媒体Ａ３のデータ特定ＩＤ１は再生端末装置Ｂ３のデータ特定ＩＤ入力手段３にネットワークを介して送信される。次に、データ特定ＩＤ入力手段３は、入力されたデータ特定ＩＤ１をネットワーク接続手段４に伝える。また、ユーザＩＤ発行手段５はユーザを特定するためのユーザＩＤをネットワーク接続手段４に伝える。次に、ネットワーク接続手段４は、ネットワーク上につながれた音楽配信装置Ｃ３の端末通信手段にデータ特定ＩＤ１とユーザＩＤをネットワークを介して送信する。音楽配信装置Ｃ３の端末通信手段７はデータ特定ＩＤ１とユーザＩＤをユーザ認証手段８に伝え、ユーザ認証手段はデータ特定ＩＤ１とユーザＩＤを用いてユーザが正当なライセンスを持っているかどうか判定するユーザ認証を行う。図３における音楽配信装置Ｃ３の復号キー配信手段１４は、ユーザ認証手段８がユーザの認証に成功したときに、端末通信手段７によりネットワークを介して記憶媒体Ａ３の暗号化データ１２を復号するための復号キーを再生端末装置Ｂ３に配信する。次に、再生端末装置Ｂ３のネットワーク接続手段４は、配信された復号キーをデータ復号手段１３に伝え、データ復号手段１３は、記録媒体Ａ３の暗号化データ１２を読み取り、配信された復号キーをもちいて、暗号データの復号を行う。最後に、データ復号手段１３は復号された音楽データを音楽再生手段６に伝え、音楽再生手段６は、配信された音楽データを再生する。
【００３０】
したがって、音楽データではなく、暗号化された音楽データを復号する復号キーを配信するため、実施の形態１，実施の形態２の場合より小さいデータを配信しながら、ユーザの正当性を確認できたユーザの正当性を確認できた場合には、再生端末装置に関らず音楽データを再生することが可能となり、正規ユーザがデータを使用する際の権利制限を取り払うことが可能となる。
【００３１】
なお、本実施の形態では暗号化データを復号する工程をデータ復号手段１３を用いて実現したが、たとえば音楽再生手段６内に暗号化データを復号するプログラムを記録したプログラム記録媒体を設けるなど、暗号化データを復号する工程はデータ復号手段に限らないことは言うまでもない。
（実施の形態４）
次に、実施の形態４における音楽配信システムについて図１，図２，図４，図５，図６を用いて説明する。
【００３２】
図４は本発明の音楽配信システムにおけるパッケージＩＤと再生可能期間の関係を表す図，図５は本発明の音楽配信システムにおけるライセンスＩＤと再生可能回数の関係を表す図，図６は本発明の音楽配信システムにおける復号用キーデータと再生可能期間の関係を表す図である。
【００３３】
図４において、図１のシステム構成を用いてデータ特定ＩＤ１、もしくは配信される音楽データの再生を許可する期間を限定する工程について説明する。
まず、データ特定ＩＤ１は、図４に示すようにユーザの入手するパッケージの種類により、異なる再生可能期間が設定されている。次に、ユーザ認証手段８は、データ特定ＩＤ１に対応して再生可能期間を制限するように音楽配信手段９に指示する。次に、音楽配信手段９は配信する音楽データである配信音楽データに再生可能期間を示すデータを付与する。最後に、音楽再生手段６は配信音楽データに付与された再生可能期間を参照し、再生可能であることを確認して音楽データを再生する。こうして、データ特定ＩＤ、もしくは、配信音楽データに応じて再生を許可する期間を限定することができる。なお、ここではデータ特定ＩＤを用いるとしたが、代わりにライセンスＩＤを用いても同様に実現可能なのはいうまでもない。
【００３４】
次に、図２のシステム構成を用いてライセンスＩＤに応じて配信を許可する回数を限定する工程について説明する。
まず、ライセンスＩＤ１０は、図５に示すようにユーザの入手するライセンスの種類により、異なる再生可能回数が設定されている。次に、ユーザ認証手段８は、ユーザＩＤとライセンスＩＤ１０をもとに配信可能回数を設定し、配信可能回数を超えない場合のみ音楽配信手段９を動作させる。こうして、ユーザＩＤとライセンスＩＤ１０に応じて配信を許可する回数を限定できる。なお、ここではライセンスＩＤを用いるとしたが、代わりにデータ特定ＩＤを用いても同様に実現可能なのはいうまでもない。
【００３５】
次に、図３のシステム構成を用いて復号用キーデータに応じて再生する音質を限定する工程について説明する。
まず、ユーザー認証手段８はユーザＩＤよりユーザの使用する再生端末装置Ｂ３の処理能力を検出し、復号キー配信手段１４に伝える。次に、復号キー配信手段１４は、図６に示すような、ユーザの使用する再生端末装置の処理能力に応じた再生可能音質と復号用キーデータの関係から、配信する復号用キーデータを選択する。次に、データ復号手段１３は配信された復号用キーデータを用いて暗号化データ１２を復号し、それに応じて配信された音楽データを再生する。こうして、ユーザＩＤと復号用キーデータに応じて再生を許可する音質を限定できる。なお、ここでは復号用キーデータを用いるとしたが、代わりに配信音楽データを用いても同様に実現可能なのはいうまでもない。
【００３６】
したがって、実施の形態４における音楽配信システムによると、より細かい使用許諾条件を設定しながら、ユーザの正当性を確認できた場合には、再生端末装置に関らず音楽データを再生することが可能となり、正規ユーザがデータを使用する際の権利制限を取り払うことが可能となる。
【００３７】
なお、データ特定ＩＤ、ライセンスＩＤ、ユーザＩＤ、復号用キーデータ、もしくは配信音楽データと、再生、もしくは配信を許可する音質、回数もしくは期間の限定する組み合わせは任意であることはいうまでもない。
【００３８】
【発明の効果】
以上説明したように本発明の音楽配信システムによると、音楽データを記録する記憶媒体が保持するデータ特定ＩＤを、再生端末装置からネットワークを介して音楽配信装置に送信し、音楽配信装置からデータ特定ＩＤに対応した音楽データを再びネットワークを介して再生端末装置に送信する構成にすることにより、再生制限を設けた音楽データでも、再生制限を設けていない音楽データを受信することにより、再生することが可能となるため、ユーザの正当性を確認できた場合には、再生端末装置に関らず音楽データを再生することが可能となり、正規ユーザがデータを使用する際の権利制限を取り払うことが可能となる。
【００３９】
また、データ特定ＩＤのかわりに記録媒体に付加されないライセンスＩＤを用いることにより、従来の発明で流通パッケージに含まれていた音楽データ部分のライセンス料を不要にすることを可能としながら、ユーザの正当性を確認できた場合には、再生端末装置に関らず音楽データを再生することが可能となり、正規ユーザがデータを使用する際の権利制限を取り払うことが可能となる。
【００４０】
また、暗号化された音楽データを再生端末装置に送信すると共に、音楽配信装置よりデータ特定ＩＤに対応した暗号を復号する復号キーを受信し、暗号化された音楽データを復号して再生することにより、小さいデータを配信しながら、ユーザの正当性を確認できた場合には、再生端末装置に関らず音楽データを再生することが可能となり、正規ユーザがデータを使用する際の権利制限を取り払うことが可能となる。
【００４１】
さらに、記憶媒体やライセンスＩＤに、再生可能期間，再生可能回数や再生可能音質を指定する情報を付加することにより、より細かい使用許諾条件を設定しながら、ユーザの正当性を確認できた場合には、再生端末装置に関らず音楽データを再生することが可能となり、正規ユーザがデータを使用する際の権利制限を取り払うことが可能となる。
【図面の簡単な説明】
【図１】本発明の実施の形態１における音楽配信システムの構成図
【図２】本発明の実施の形態２における音楽配信システムの構成図
【図３】本発明の実施の形態３における音楽配信システムの構成図
【図４】本発明の音楽配信システムにおけるパッケージＩＤと再生可能期間の関係を表す図
【図５】本発明の音楽配信システムにおけるライセンスＩＤと再生可能回数の関係を表す図
【図６】本発明の音楽配信システムにおける復号用キーデータと再生可能期間の関係を表す図
【符号の説明】
１    データ特定ＩＤ
２    音楽データ
３    データ特定ＩＤ入力手段
４    ネットワーク接続手段
５    ユーザＩＤ発行手段
６    音楽再生手段
７    端末通信手段
８    ユーザ認証手段
９    音楽配信手段
１０    ライセンスＩＤ
１１    ライセンスＩＤ入力手段
１２    暗号化データ
１３    データ復号手段
１４    復号キー配信手段
Ａ１    記録媒体
Ｂ１    再生端末装置
Ｃ１    音楽配信装置
Ｂ２    再生端末装置
Ｃ２    音楽配信装置
Ａ３    記録媒体
Ｂ３    再生端末装置
Ｃ３    音楽配信装置
【図１】
2004240344.tif 000003
【図２】
2004240344.tif 000004
【図３】
2004240344.tif 000005
【図４】
2004240344.tif 000006
【図５】
2004240344.tif 000007
【図６】
2004240344.tif 000008